(57)【要約】【課題】吸引風流の抵抗を小さくして吸引効率を向上できる電気掃除機を提供する。【解決手段】ノズル装着前において、ブラシカバー５ａを取外すと共に、回転ブラシ５を取外す。ノズル３１は、本体筒部３１１、本体筒部３１１の後端外周に設けられたフランジ３１２、及び本体筒部３１１の後端に設けた細口管３１３を有する。ノズル３１の細口管３１３を回転ブラシ収容室５ｂ内を通過させ、細口管３１３の先端をダストボックスユニット１のダストボックス吸気口１ａの近傍まで到達させる。ノズル装着状態においては、回転ブラシ５が吸引風流Ｆ１の中に存在しない。吸引風流Ｆ１の流路断面積Ｓ１１、Ｓ１２、Ｓ１３の緩やかな変化により吸引風流Ｆ１の抵抗が減少し、吸引効率を向上できる。【選択図】  図１
2019154965.tif 000002
【特許請求の範囲】
【請求項１】
回転ブラシと、
前記回転ブラシを収容するための回転ブラシ収容室と、
前記回転ブラシ収容室と連通したダストボックスユニットと、
別体のノズルと、
を具備する電気掃除機において、
前記ノズルは、
先端から後端へ漸次増大する流路断面積を有する本体筒部と、
前記本体筒部の後端に結合され、前記本体筒部の後端の流路断面積に連続する流路断面積を有する細口管と、
を具備し、
前記ノズルを装着する場合には、前記細口管を前記回転ブラシ収容室を通過して前記ダストボックスの吸気口近傍まで挿入することを特徴とする電気掃除機。
【請求項２】
さらに、
前記回転ブラシ収容室に、掃除機吸気口となる開口を備えたブラシカバーを具備し、
前記ノズルは、前記ブラシカバー及び前記回転ブラシを取り外した状態に装着される請求項１の電気掃除機。
【請求項３】
前記細口管の後端の断面形状は前記ダストボックス吸気口の断面形状とほぼ同一である請求項１又は２に記載の電気掃除機。
【請求項４】
前記細口管の外周面は、前記ダストボックスの吸気口近傍において、前記ダストボックスに内接する請求項１乃至３のいずれかに記載の電気掃除機。
【請求項５】
前記細口管の流路断面積は前記本体筒部の後端から漸次減少する請求項１又は２に記載の電気掃除機。
【請求項６】
さらに、
前記ダストボックスユニットのダストボックス排気口と掃除機排気口との間に設けられた送風ファンと、
前記送風ファンを駆動するためのファン駆動モータと、
前記回転ブラシ収容室近傍に設けられたブラシ駆動モータと、
前記ファン駆動モータ用の電源スイッチと、
前記ブラシ駆動モータ用の回転ブラシ電源スイッチと、
を具備する請求項１又は２に記載の電気掃除機。
【発明の詳細な説明】
【技術分野】
【０００１】
本発明は電気掃除機、特にその別体の隙間ノズル（以下、単にノズルとする）に関する。
【背景技術】
【０００２】
従来の電気掃除機において、狭い場所を掃除する際には、別体のノズルを取り付ける構成となっている（参照：特許文献１）。
【０００３】
回転ブラシを有する電気掃除機においては、別体のノズルを取り付ける際には、回転ブラシを収容した回転ブラシ収容室を取り外した上で取り付けられる。
【先行技術文献】
【特許文献】
【０００４】
【特許文献１】特開２０１７−１６９８９５号公報
【発明の概要】
【発明が解決しようとする課題】
【０００５】
しかしながら、上述の従来の電気掃除機においては、回転ブラシ収容室を取り外す機構を設ける必要から、回転ブラシ収容室と本体側との間に継ぎ目が生じるので、吸い込み効率に損失を伴う。つまり、ノズルを脱着可能な電気掃除機において、吸い込み効率を高めたいという課題がある。
【課題を解決するための手段】
【０００６】
上述の課題を解決するために、本発明に係る電気掃除機は、回転ブラシと、回転ブラシを収容するための回転ブラシ収容室と、回転ブラシ収容室と連通したダストボックスユニットと、別体のノズルとを具備する電気掃除機において、ノズルは、先端から後端へ漸次増大する流路断面積を有する本体筒部と、本体筒部の後端に結合され、本体筒部の後端の流路断面積に連続する流路断面積を有する細口管とを具備し、ノズルを装着する場合には、回転ブラシ収容室を通過してダストボックス吸気口近傍まで挿入したものである。
【発明の効果】
【０００７】
本発明によれば、回転ブラシ収容室を取り外すことなくノズルを取り付けることができるので、回転ブラシ収容室と本体側との間に継ぎ目が生じることがなくなり、高い吸い込み効率を維持することができる。また、ノズルからダストボックス吸気口近傍までの流路断面積の変化は回転ブラシ収容室により拡大することなく緩やかになるので、ノズルの吸引風流の抵抗は小さくなり、この結果、吸引効率を向上できる。
【図面の簡単な説明】
【０００８】
【図１】本発明に係る電気掃除機の本体を示し、（Ａ）は上面図、（Ｂ）は側面斜視図、（Ｃ）は下面斜視図である。
【図２】図１の（Ａ）のＩＩ―ＩＩ線断面図であり、（Ａ）は全体図、（Ｂ）は部分拡大図である。
【図３】本発明に係る電気掃除機の第１の実施の形態を示し、（Ａ）はノズル装着前状態の全体斜視図、（Ｂ）はノズル装着状態の部分拡大断面図である。
【図４】図３のダスボックス吸気口を示し、（Ａ）は斜視図、（Ｂ）は正面図である。
【図５】本発明に係る電気掃除機の第２の実施の形態を示し、（Ａ）はノズル装着前状態の全体斜視図、（Ｂ）はノズル装着状態の部分拡大断面図である。
【図６】図３、図５の電気掃除機の吸引動作を説明するための図である。
【図７】本発明の比較例に係る電気掃除機のノズルを示し、（Ａ）はノズル装着前状態の全体斜視図、（Ｂ）はノズル装着状態の部分断面図である。
【発明を実施するための形態】
【０００９】
図１は本発明に係る電気掃除機の本体を示し、（Ａ）は上面図、（Ｂ）は側面側斜視図、（Ｃ）は下面側斜視図である。また、図２は、図１の（Ａ）のＩＩ―ＩＩ線断面図であり、（Ａ）は全体図、（Ｂ）は部分拡大図である。
【００１０】
図１、図２において、電気掃除機の本体は、表面パネル２ａおよび裏面パネル２ｂから構成されるハウジング内に、回転ブラシ５、ブラシ駆動モータ６、ダストボックスユニット１、送風ファン８、ファン駆動モータ９を備えている。
【００１１】
ダストボックスユニット１は、底部近傍のダストボックス吸気口１ａ及びその反対側のダストボックス排気口１ｂを有するダストボックス１１のダストボックス吸気口１ａを塞ぐようにダストボックス吸気口１ａの左右いずれかの一方側に固定された逆止弁パッキン１２、ダストボックス排気口１ｂに設けられた円筒状の集塵フィルタ１４、及び集塵フィルタ１４をダストボックス１１へ固定するためのフィルタガスケット１５によりなる。ダストボックス吸気口１ａは、ダストボックスユニット１の掃除機吸気口４ａ側の側壁面の下部、すなわちダストボックス１１の底部側に設けられている。ダストボックスユニット１は表面パネル２ａ、裏面パネル２ｂによって構成されるハウジング内に格納されるが、ノブ３を押下げることによってハウジング（２ａ、２ｂ）から外せる。つまり、ダストボックスユニット１はハウジング（２ａ、２ｂ）に脱着可能になっている。
【００１２】
ダストボックス吸気口１ａと掃除機吸気口４ａとの間にはブラシカバー５ａで囲まれた回転ブラシ収容室５ｂ内に回転ブラシ５が設けられており、回転ブラシ収容室５ｂの近傍に回転ブラシ５のブラシ駆動モータ６が設けられている。また、ブラシカバー５ａの内側には、ノズル着脱用の溝付突起５ａ−１、５ａ−２、５ａ−３、５ａ−４（参照：図１の（Ｃ））が設けられている。さらに、表面パネル２ａの先端部には清掃面を照らすためのヘッドライト部７が設けられている。さらに、ブラシカバー５ａは、ハウジング（２ａ、２ｂ）に取り付けられた場合に掃除機吸気口４ａとなる開口を備えている。
【００１３】
他方、ダストボックス排気口１ｂと掃除機排気口４ｂとの間には送風ファン８及び送風ファン８の近傍に送風ファン８のファン駆動モータ９が設けられている。さらに、裏面パネル２ｂの後端には、シガーレットライタに接続される電源コード（図示せず）の電源コードコネクタ１０ａ及び電源スイッチ１０ｂが設けられている。
【００１４】
図３は本発明に係る電気掃除機の第１の実施の形態を示し、（Ａ）はノズル装着前状態の全体斜視図、（Ｂ）はノズル装着状態の部分拡大断面図である。尚、第１の実施の形態の電気掃除機の本体は図１、図２に示すものである。
【００１５】
図３の（Ａ）に示すように、ノズル装着前において、ブラシカバー５ａを取外すと共に、回転ブラシ５を取外す。この場合、ブラシカバー５ａは表面パネル２ａ、裏面パネル２ｂに対して着脱自在とされている。たとえば、ブラシカバー５ａの上下端につめ部を設け、つめ部が表面パネル２ａ、裏面パネル２ｂの端面の溝に嵌まるようにする。また、回転ブラシ５も着脱自在とされている。たとえば回転ブラシ５の一端には凸部５−１を設けると共に他端には凹部５−２を設けると共に、表面パネル２ａの対応箇所に凹部及び凸部を設ける。つまり、乾電池の電池ケースの嵌め込めのごとく、回転ブラシ５の凸部５−１及び凹部５−２を表面パネル２ａの凹部及び凸部に嵌め込まれるようにする。
【００１６】
図３の（Ａ）に示すごとく、ノズル３１は、本体筒部３１１、本体筒部３１１の後端外周に設けられたフランジ３１２、及び本体筒部３１１の後端に設けた細口管３１３を有する。尚、ノズル３１は一体成型でもよく、また、本体筒部３１１及びフランジ３１２と、細口管３１３とを別体で成形して結合してもよく、さらに、本体筒部３１１と、フランジ３１２及び細口管３１３とを別体で成形して結合してもよい。いずれの場合でも、本体筒部３１１と細口管３１３との間に隙間はなく、図３の（Ｂ）に示すごとく、ノズル３１の先端からダストボックス吸気口１ａまでの流路Ｓ１１、Ｓ１２、Ｓ１３において、隙間はない。
【００１７】
また、図３の（Ａ）に示すごとく、ノズル３１を装着させる場合、始めに、ブラシカバー５ａ及び回転ブラシ５を取外す。次いで、図３の（Ｂ）に示すごとく、ノズル３１の細口管３１３を回転ブラシ収容室５ｂ内を通過させ、細口管３１３の先端をダストボックスユニット１のダストボックス吸気口１ａの近傍まで到達させる。この場合、ノズル３１のフランジ３１２が表面パネル２ａ及び／又は裏面パネル２ｂに当接すると共に、細口管３１３の先端部分の外周面も電気掃除機の内部の壁に密着するので、ノズル３１の停止位置は安定する。細口管３１３の後端の外周面は、ダストボックス１１における吸気口１ａ近傍の逆止弁パッキン１２の外側位置でダストボックス内壁に内接している。このとき、ダストボックス吸気口１ａの断面形状は図４に示すごとく横長の長方形をなしている。従って、細口管３１３の後端の断面形状はダストボックス吸気口１ａの断面形状とほぼ同一とし、横長の長方形をなしている。これにより、吸引効率を高める。
【００１８】
また、図３の（Ｂ）に示すごとく、ノズル装着状態においては、回転ブラシ５が吸引風流Ｆ１の中に存在しない。つまり、吸引風流Ｆ１において、本体筒部３１１における流路断面積Ｓ１１は漸次増大し、次いで、細口管３１３においては、回転ブラシ収容室５ｂにおける流路断面積Ｓ１２は流路断面積Ｓ１１に連続し、最後に、ダストボックスユニット１のダストボックス吸気口１ａでの流路断面積Ｓ１３は漸次減少する。従って、吸引風流Ｆ１の流路断面積Ｓ１１、Ｓ１２、Ｓ１３の緩やかな変化により吸引風流Ｆ１の抵抗が減少し、この結果、吸引効率を向上できる。
【００１９】
また、ノズル３１のフランジ３１２は表面パネル２ａ及び／又は裏面パネル２ｂに嵌合等適宜手段により取り付けられるが、本体筒部３１１と細口管３１３は、フランジ３１２を内通して、一連一体に構成されているので、フランジ３１２と表面パネル２ａ及び裏面パネル２ｂとの嵌合隙間は、ノズル３１からダストボックス吸気口１ａまでの吸引風流Ｆ１の流路と連通することがなく、嵌合隙間による吸引効率の低下はない。
【００２０】
図５は本発明に係る電気掃除機の第２の実施の形態を示し、（Ａ）はノズル装着前状態の全体斜視図、（Ｂ）はノズル装着状態の部分拡大断面図である。尚、第２の実施の形態における電気掃除機の本体の構成は、第１の実施の形態と同様、図１、図２に示すものである。
【００２１】
図５の（Ａ）に示すように、ノズル装着前において、ブラシカバー５ａを取外すが、回転ブラシ５は取外さない。この場合も、ブラシカバー５ａは表面パネル２ａ、裏面パネル２ｂに対して着脱自在とされている。
【００２２】
図５の（Ａ）に示すごとく、ノズル４１は、本体筒部４１１、本体筒部４１１の後端外周に設けられたフランジ４１２、及び本体筒部４１１の後端に設けた細口管４１３を有する。この場合、細口管４１３にはノズル装着状態において回転ブラシ５に接触しないように段差部４１３ａを設けてある。尚、ノズル４１は一体成型でもよく、また、本体筒部４１１及びフランジ４１２と、細口管４１３とを別体で成形して結合してもよく、さらに、本体筒部４１１と、フランジ４１２及び細口管４１３とを別体で成形して結合してもよい。いずれの場合でも、図５の（Ｂ）に示すごとく、本体筒部４１１と細口管４１３との間には隙間はなく、ノズル４２の先端からダストボックス吸気口１ａまでの吸引風流Ｆ２の流路Ｓ２１、Ｓ２２、Ｓ２３において、隙間はない。
【００２３】
図５の（Ａ）に示すごとく、ノズル４１を装着させる場合、始めに、ブラシカバー５ａを取外す。次いで、図５の（Ｂ）に示すごとく、ノズル４１の細口管４１３を回転ブラシ収容室５ｂ内を通過させ、細口管４１３の先端をダストボックスユニット１のダストボックス吸気口１ａの近傍まで到達させる。この場合、ノズル４１のフランジ４１２が表面パネル２ａ及び裏面パネル２ｂに当接すると共に、細口管４１３の先端部分の外周面も電気掃除機の内部の壁に密着するので、ノズル４１の停止位置は安定する。このとき、回転ブラシ５が回転しても、回転ブラシ５は段差部４１３ａを有する細口管４１３に接触しない。また、細口管４１３の後端の断面形状はダストボックス吸気口１ａの断面形状とほぼ同一とし、横長の長方形をなしている。これにより、吸引効率を高めることができる。
【００２４】
また、図５の（Ｂ）に示すごとく、ノズル装着状態においては、回転ブラシ５が吸引風流Ｆ２の中に存在しない。つまり、吸引風流Ｆ２において、本体筒部４１１における流路断面積Ｓ２１は漸次増大し、次いで、細口管４１３においては、回転ブラシ収容室５ｂにおける流路断面積Ｓ２２は流路断面積Ｓ２１に連続し、最後に、ダストボックスユニット１のダストボックス吸気口１ａでの流路断面積Ｓ２３は漸次減少する。従って、吸引風流Ｆ２の流路断面積Ｓ２１、Ｓ２２、Ｓ２３の緩やかな変化により吸引風流Ｆ２の抵抗が減少し、この結果、吸引効率を向上できる。
【００２５】
さらに、ノズル４１のフランジ４１２は表面パネル２ａ及び裏面パネル２ｂに嵌合等適宜手段により取り付けられるが、本体筒部４１１及び細口管４１３は、フランジ４１２を内通して、一連一体に構成されているので、ノズル４１からダストボックス吸気口１ａまでの吸引風流Ｆ２の流路Ｓ２１、Ｓ２２、Ｓ２３において隙間はない。つまり、フランジ４１２と表面パネル２ａ及び裏面パネル２ｂとの嵌合隙間は、吸引風流Ｆ２の流路とは連通しないので、第２の実施の形態においても嵌合隙間による吸引効率の低下はない。
【００２６】
このように、図５に示す第２の実施の形態においては、回転ブラシ５を取外すことなく、ノズル２１による掃除を行うことができるので、第１の実施の形態に比較して作業効率を高めることができる。
【００２７】
次に、図３、図５の電気掃除機の動作を図６を用いて説明する。
【００２８】
始めに、吸引動作を開始するに当たり、ブラシカバー５ａ（図３、図５の場合）及び回転ブラシ５（図３の場合のみ）を取外し、ノズル３１（４１）を電気掃除機に装着する。次いで、電源コードを電源コードコネクタ１０ａと自動車のシガーレットライタとの間に接続し、ノズル３１（４１）の先端を清掃すべき清掃面Ｓに合わせる。次いで、電源スイッチ１０ｂをオンにすると、ブラシ駆動モータ６及びファン駆動モータ９が駆動して送風ファン８が回転する。従って、吸引風流Ｆ１（Ｆ２）がノズル３１（４１）及び電気掃除機内を流れる。
【００２９】
次に、吸引動作を終了するために、電源スイッチ１０ｂをオフにして回転ブラシ６（図３の場合のみ）及び送風ファン８（図１、図３の場合）の回転を停止させる。
【００３０】
最後に、ノズル３１（４１）を取外し、回転ブラシ５（図３の場合のみ）及びブラシカバー５ａ（図１、図３の場合）を取付ける。また、ノブ３を押下することによりダストボックスユニット１を取外し、塵埃溜場所に溜まった塵埃を廃棄する。
【００３１】
尚、ノズル３１（４１）を電気掃除機に装着した場合、回転ブラシ５のブラシ駆動モータ６を駆動させる必要はない。従って、電源スイッチ１０ｂに加えてブラシ駆動モータ６に接続された回転ブラシ電源スイッチを設け、ノズル３１（４１）を装着した場合には、回転ブラシ電源スイッチをオフにしてブラシ駆動モータ６をオフにしてもよい。これにより、省エネルギーを図れる。
【００３２】
以下、本発明の実施の形態の電気掃除機の吸引効率が高いことについて、比較例の電気掃除機を用いて説明する。尚、比較例における電気掃除機の本体は、第１の実施の形態および第２の実施の形態と同様、図１、図２に示すものである。
【００３３】
図７は比較例の電気掃除機への別体のノズルの装着を説明するための図であって、（Ａ）は装着前状態を示す全体斜視図、（Ｂ）は装着状態を示す部分断面図である。
【００３４】
図７の（Ａ）に示すごとく、ノズル２１は、細口の本体筒部２１１、本体筒部２１１の後端外周に設けられたフランジ２１２及びフランジ２１２の上端、下端に設けられたつめ部２１３によって構成される。つめ部２１３はブラシカバー５ａの溝付突起５ａ−１、５ａ−２、５ａ−３、５ａ−４（参照：図１の（Ｃ））に嵌め込まれるものである。
【００３５】
図７の（Ｂ）に示すごとく、ノズル２１のフランジ２１２をブラシカバー５ａに当接しながらつめ部２１３をブラシカバー５ａの溝付突起５ａ−１、５ａ−２、５ａ−３、５ａ−４（参照：図１の（Ｃ））に嵌合させることによりノズル２１を掃除機吸気口４ａに装着される。
【００３６】
従って、第１の実施の形態および第２の実施の形態と同様、ノズル２１の取り付け時において、回転ブラシ収容室５ｂを取り外す必要がなく、回転ブラシ収容室５ｂと電気掃除機の本体２との間に継ぎ目のない一体的な構成となっている。従って、従来の電気掃除機のような継ぎ目による吸い込み効率の損失のない構成となっている。
【００３７】
しかし、図７の（Ｂ）に示すごとく、ノズル装着状態においては、回転ブラシ５及び回転ブラシ収容室５ｂの全体が吸引風流Ｆ０の中に存在する。従って、吸引風流Ｆ０において、本体筒部２１１における流路断面積Ｓ０１は漸次増大し、次いで、回転ブラシ収容室５ｂにおける流路断面積Ｓ０２は急激に増大し、最後に、ダストボックスユニット１のダストボックス吸気口１ａでの流路断面積Ｓ０３は急激に小さくなりほぼ一定となっている。従って、吸引風流Ｆ０の流路断面積Ｓ０１、Ｓ０２、Ｓ０３の急激な変化により吸引風流Ｆ０の抵抗が増大し、この結果、吸引効率が低下する。
【００３８】
また、ノズル２１のフランジ２１２は掃除機吸気口４ａのブラシカバー５ａに嵌合され、フランジ２１２と表面パネル２ａ及び裏面パネル２ｂとの嵌合隙間が流路Ｆ０に連通するので、嵌合隙間による損失によってやはり吸引効率が低下する。
【００３９】
これに対し、本発明に係る第１の実施の形態及び第２の実施の形態の電気掃除機は、取り付けるノズルに回転ブラシ収容室を通過してダストボックス吸気口近傍まで挿入される細口管を備えるので、吸引風流の流路断面積が、回転ブラシ収容室で急激に拡大されるのを防止することができると共に、フランジと表面パネル及び裏面パネルとの嵌合隙間は流路と連通しない構成とすることができるので、比較例の電気掃除機より吸引効率を高めることができる。
【００４０】
尚、本発明は上述の実施の形態の自明の範囲のいかなる変更に適用し得る。
【産業上の利用可能性】
【００４１】
本発明は電気掃除機、特に小型電気掃除機としてハンディクリーナ、カークリーナに利用できる。また、電池を内蔵せずに、たとえばシガーレットライタを介して自動車のバッテリを利用することによりカークリーナを小型化できる。
【符号の説明】
【００４２】
１：ダストボックスユニット
１ａ：ダストボックス吸気口
１ｂ：ダストボックス排気口
１１：ダストボックス
１２：逆止弁パッキン
１４：集塵フィルタ
１５：フィルタガスケット
２ａ：表面パネル
２ｂ：裏面パネル
３：ノブ
４ａ：掃除機吸気口
４ｂ：掃除機排気口
５：回転ブラシ
５ａ：ブラシカバー
５ｂ：回転ブラシ収容室
６：ブラシ駆動モータ
７：ヘッドライト部
８：送風ファン
９：ファン駆動モータ
１０ａ：電源スイッチ
１０ｂ：電源コードコネクタ
２１、３１、４１：ノズル
２１１、３１１、４１１：本体筒部
２１２、３１２、４１２：フランジ
２１３、３１３、４１３：細口管
４１３ａ：段差部
Ｆ０、Ｆ１、Ｆ２：吸引風流
【図１】
2019154965.tif 000003
【図２】
2019154965.tif 000004
【図３】
2019154965.tif 000005
【図４】
2019154965.tif 000006
【図５】
2019154965.tif 000007
【図６】
2019154965.tif 000008
【図７】
2019154965.tif 000009
【手続補正書】
【提出日】平成30年6月27日(2018.6.27)
【手続補正１】
【補正対象書類名】特許請求の範囲
【補正対象項目名】全文
【補正方法】変更
【補正の内容】
【特許請求の範囲】
【請求項１】
回転ブラシと、
前記回転ブラシを収容するための回転ブラシ収容室と、
前記回転ブラシ収容室と連通したダストボックスユニットと、
別体のノズルと、
を具備する電気掃除機において、
前記ノズルは、
先端から後端へ漸次増大する流路断面積を有する本体筒部と、
前記本体筒部の後端に結合され、前記本体筒部の後端の流路断面積に連続する流路断面積を有する細口管と、
を具備し、
前記ノズルを装着する場合には、前記細口管を前記回転ブラシ収容室を通過して前記ダストボックスユニットのダストボックス吸気口近傍まで挿入することを特徴とする電気掃除機。
【請求項２】
さらに、
前記回転ブラシ収容室に、掃除機吸気口となる開口を備えたブラシカバーを具備し、
前記ノズルは、前記ブラシカバー及び前記回転ブラシを取り外した状態に装着される請求項１の電気掃除機。
【請求項３】
前記細口管の後端の断面形状は前記ダストボックス吸気口の断面形状とほぼ同一である請求項１又は２に記載の電気掃除機。
【請求項４】
前記細口管の外周面は、前記ダストボックス吸気口近傍において、前記ダストボックスユニットのダストボックス内壁に内接する請求項１乃至３のいずれかに記載の電気掃除機。
【請求項５】
前記細口管の流路断面積は前記本体筒部の後端から漸次減少する請求項１又は２に記載の電気掃除機。
【請求項６】
さらに、
前記ダストボックスユニットのダストボックス排気口と掃除機排気口との間に設けられた送風ファンと、
前記送風ファンを駆動するためのファン駆動モータと、
前記回転ブラシ収容室近傍に設けられたブラシ駆動モータと、
前記ファン駆動モータ用の電源スイッチと、
前記ブラシ駆動モータ用の回転ブラシ電源スイッチと、
を具備する請求項１又は２に記載の電気掃除機。
【手続補正２】
【補正対象書類名】明細書
【補正対象項目名】０００６
【補正方法】変更
【補正の内容】
【０００６】
上述の課題を解決するために、本発明に係る電気掃除機は、回転ブラシと、回転ブラシを収容するための回転ブラシ収容室と、回転ブラシ収容室と連通したダストボックスユニットと、別体のノズルとを具備する電気掃除機において、ノズルは、先端から後端へ漸次増大する流路断面積を有する本体筒部と、本体筒部の後端に結合され、本体筒部の後端の流路断面積に連続する流路断面積を有する細口管とを具備し、ノズルを装着する場合には、回転ブラシ収容室を通過してダストボックスユニットのダストボックス吸気口近傍まで挿入したものである。